(57)【要約】      （修正有）【課題】転居等によって比較的小さい住まいとなった場合でも置く場所に困ることがなく、しかも、遺影、本尊、位牌及び遺骨等を入れた容器をまとめて収容することができて、仏具としての機能を十分に発揮することができる仏壇を提供する。【解決手段】仏壇１は小型であるため、転居等によって比較的小さい住まいとなった場合でも置く場所に困ることがない。しかも、遺影３９ａ、本尊４５、位牌４７及び遺骨等を入れた容器をまとめて収容することができる。従って、仏具としての機能を十分に発揮することができる。【選択図】図１
0003208294.tif 000002
【実用新案登録請求の範囲】
【請求項１】
底板、左右の側板、背板及び天板から成り前面に開口部を有する箱状の本体と、前記本体に設けられ遺品、遺骨等を入れる容器を収容する容器収容室と、前記本体に設けられ遺影を備える遺影配置部と、前記本体に設けられ本尊を絵画等によって表した本尊表示体を備える本尊配置部と、前記本体に設けられ位牌を備える位牌配置部とを具備することを特徴とする仏壇。
【請求項２】
請求項１に記載した仏壇において、前面の開口部は透明板によって閉鎖され、前記透明板は着脱可能であり、前記遺影配置部、本尊配置部及び位牌配置部は前記透明板の背面に近接して設けられていることを特徴とする仏壇。
【請求項３】
請求項２に記載した仏壇において、透明板の背面側には支持板が設けられ、遺影配置部、本尊配置部及び位牌配置部は前記支持板と前記透明板との間に設けられ、シート状を為す遺影、本尊、位牌は前記支持板と前記透明板に挟持されて備えられることを特徴とする仏壇。
【請求項４】
請求項３に記載した仏壇において、本体には上下方向へ延び上端が開口する溝が形成され、前記溝に透明板と支持板が上方から差し込まれて保持されていることを特徴とする仏壇。
【請求項５】
請求項３または４に記載した仏壇において、支持板は複数枚設けられ、透明板と支持板との間に備えられる遺影とは別の遺影を前記支持板どうしの間に挟持することを特徴とする仏壇。
【請求項６】
請求項１から５のいずれかに記載した仏壇において、本体の天板には開口部が設けられ、前記上面の開口部は容器収容室に連通しており、且つ前記上面の開口部を閉鎖する蓋体が着脱自在に備えられていることを特徴とする仏壇。
【請求項７】
請求項１から６のいずれかに記載した仏壇において、本体の幅寸法が３０ｃｍ以下、高さ寸法が２０ｃｍ以下、奥行き寸法１５ｃｍ以下であることを特徴とする仏壇。
【考案の詳細な説明】
【技術分野】
【０００１】
本考案は仏壇に関するものである。
【背景技術】
【０００２】
仏壇は本尊を表した仏像、絵画等、遺影、位牌更に遺骨、遺品等を収容しておくため比較的大型のものが多く、仏間等のある程度のスペースのある場所に置くことを前提としている。従って、転居等によって比較的小さい住まいとなった場合には置く場所がなく、仏壇を処分せざるを得ない場合も少なくない。例えば、高齢者用の施設に転居する場合などは、居住スペースが限られることから、仏間に置いてある大型の仏壇をもっていくことは殆ど不可能である。
【先行技術文献】
【特許文献】
【０００３】
【特許文献１】実用新案登録第３０９８１８８号公報
【考案の概要】
【考案が解決しようとする課題】
【０００４】
しかしながら、仏壇は亡くなった人を想うための仏具であり、心情的にも簡単に処分できるものではない。特許文献１に示す携帯仏壇のように位牌だけを取り出して持っていくことも考えられるが、本尊を表した仏像、絵画等、遺影、位牌、更に遺骨、遺品等がいわばワンセットであり、このうちの一つでも欠けたのでは仏具としての機能が不十分となってしまうことになる。
本考案は、上記従来の問題点に着目して為されたものであり、転居等によって比較的小さい住まいとなった場合でも置く場所に困ることがなく、しかも、遺影、本尊、位牌及び遺骨等を入れた容器をまとめて収容することができて、仏具としての機能を十分に発揮することができる仏壇の提供を、その目的とする。
【課題を解決するための手段】
【０００５】
本考案は上記課題を解決するためになされたものであり、請求項１の考案は、底板、左右の側板、背板及び天板から成り前面に開口部を有する箱状の本体と、前記本体に設けられ遺品、遺骨等を入れる容器を収容する容器収容室と、前記本体に設けられ遺影を備える遺影配置部と、前記本体に設けられ本尊を絵画等によって表した本尊表示体を備える本尊配置部と、前記本体に設けられ位牌を備える位牌配置部とを具備することを特徴とする仏壇である。
【０００６】
請求項２の考案は、請求項１に記載した仏壇において、前面の開口部は透明板によって閉鎖され、前記透明板は着脱可能であり、前記遺影配置部、本尊配置部及び位牌配置部は前記透明板の背面に近接して設けられていることを特徴とする仏壇である。
【０００７】
請求項３の考案は、請求項２に記載した仏壇において、透明板の背面側には支持板が設けられ、遺影配置部、本尊配置部及び位牌配置部は前記支持板と前記透明板との間に設けられ、シート状を為す遺影、本尊、位牌は前記支持板と前記透明板に挟持されて備えられることを特徴とする仏壇である。
【０００８】
請求項４の考案は、請求項３に記載した仏壇において、本体には上下方向へ延び上端が開口する溝が形成され、前記溝に透明板と支持板が上方から差し込まれて保持されていることを特徴とする仏壇である。
【０００９】
請求項５の考案は、請求項３または４に記載した仏壇において、支持板は複数枚設けられ、透明板と支持板との間に備えられる遺影とは別の遺影を前記支持板どうしの間に挟持することを特徴とする仏壇である。
【００１０】
請求項６の考案は、請求項１から５のいずれかに記載した仏壇において、本体の天板には開口部が設けられ、前記上面の開口部は容器収容室に連通しており、且つ前記上面の開口部を閉鎖する蓋体が着脱自在に備えられていることを特徴とする仏壇である。
【００１１】
請求項７の考案は、請求項１から６のいずれかに記載した仏壇において、本体の幅寸法が３０ｃｍ以下、高さ寸法が２０ｃｍ以下、奥行き寸法１５ｃｍ以下であることを特徴とする仏壇である。
【考案の効果】
【００１２】
本考案の仏壇は、小型であるため、転居等によって比較的小さい住まいとなった場合でも置く場所に困ることがない。しかも、遺影、本尊、位牌及び遺骨等を入れた容器をまとめて収容することができる。従って、仏具としての機能を十分に発揮することが可能である。
また、小型であるため、大型の仏壇内にそのまま設置して用いることも可能である。
【図面の簡単な説明】
【００１３】
【図１】本考案の実施の形態に係る仏壇の斜視図である。
【図２】図１の仏壇の分解斜視図である。
【図３】図１の仏壇に備えられる遺影、本尊、位牌等を示す斜視図である。
【図４】図１の仏壇の前面の開口部を開放した状態の正面図である。
【図５】図１の仏壇の正面図である。
【図６】図１の仏壇を大型の仏壇内に設置した状態の正面図である。
【考案を実施するための形態】
【００１４】
本考案の実施の形態に係る仏壇１を図面にしたがって説明する。
符号３は本体を示し、この本体３は底板５、左右の側板７、９、背板１０及び天板１１から成る箱状に形成されている。本体３の幅寸法は２５ｃｍ、高さ寸法は１７．５ｃｍ、奥行き寸法１１ｃｍに設定されている。
本体３内は空間部１３となっており、この空間部１３に２枚の仕切り板１５、１７が設けられ、空間部は３つの収容室１９、２１、２３に仕切られている。
【００１５】
左右の側板７、９の内側面には、上下方向へ延びる幅の広い溝７ａ、９ａがそれぞれ形成され、溝７ａ、９ａは上端が開口している。また、仕切り板１５、１７の左右の側板７、９の内側面にそれぞれ対向する面には溝１５ａ、１７ａが形成され、溝１５ａ、１７ａは上端に開口している。従って、溝７ａと溝１５ａは同じ大きさで互いに対向しており、溝９ａと溝１７ａは同じ大きさで互いに対向している。
また、仕切り板１５、１７の互いに対向する面には上下方向へ延びる幅の小さい溝１５ｂ、１７ｂがそれぞれ形成されている。
【００１６】
また、本体３の前面には開口部２５が形成されており、この開口部２５は収容室１９、２１、２３に連なっている。更に天板１１には矩形の開口部１１ａが形成されており、開口部１１ａは収容室１９、２１、２３に連なっている。
開口部１１ａより後方側には左右方向へ長い位置決め凹部１１ｂが設けられている。
符号２９は蓋を示し、この蓋２９は天板１１よりやや大きい矩形の板状を為しており、その底面には位置決め凹部１１ｂに嵌り込む位置決め凸部２９ａが設けられている。蓋２９の幅寸法は２７．５ｃｍ、厚さ寸法は１．２ｃｍ、奥行き１２．５ｃｍに設定されている。
【００１７】
符号３３は三つの凹部を有する飾り板を示し、この飾り板３３は左右の側板７、９に支持されている。飾り板３３は前面の開口部２５の上端部分を覆っている。
また、底板５の下面には弾性を有する合成樹脂製で高さ寸法の小さい支持部材３５が５個取り付けられている。
【００１８】
図３において符号３７は合成樹脂製で長方形に形成された透明板を示し、この透明板３７は溝７ａ、１５ａ間に嵌り込む幅寸法、空間部１３の高さより僅かに小さい高さ寸法を有している。
符号３９ａ、３９ｂは遺影を示し、この遺影３９ａ、３９ｂは透明板３７より僅かに小さい幅寸法、三分の二程度の高さ寸法を有している。遺影３９ｂは、遺影３９ａとは別のものである。
符号４１は黒色の塗装が施された長方形の支持板を示し、この支持板４１は透明板３７と同じ幅寸法、高さ寸法を有している。
【００１９】
符号４３は合成樹脂製で長方形に形成された透明板を示し、この透明板４３は溝１５ｂ、１７ｂ間に嵌り込む幅寸法、空間部１３の高さより僅かに小さい高さ寸法を有している。
符号４５はシート状を為す本尊を示し、この本尊４５は透明板４３より僅かに小さい幅寸法、高さ寸法を有している。
【００２０】
符号４７はシート状を為す位牌を示し、この位牌４７は透明板３７より僅かに小さい幅寸法、高さ寸法を有している。
符号４８は黒色の塗装が施された長方形の支持板を示し、この支持板４８は透明板４３と同じ幅寸法、高さ寸法を有している。
符号４９は遺骨、遺品等を入れる容器を示し、この容器４９は有底の円筒状の本体４９ａと、この本体４９ａの上面開口を閉鎖する着脱可能な蓋４９ｂとから成る。
【００２１】
次に、この仏壇１の使用方法を説明する。
図４に示すように遺骨等を入れた容器４９を収容室２１に収容し、また蓋２９を外す。
一方、本尊４５を支持板４８と透明板４３によって挟持して、その状態のままで支持板４８、透明板４３及び本尊４８を溝１５ｂ、１７ｂに上方から差し込んで保持させる。この状態において、透明板４３の背面に近接する空間、すなわち透明板４３と支持板４８の間が本尊配置部となる。
【００２２】
複数枚重ねた支持板４１の最も表側に位置するものの表面と、透明板３７によって遺影３９ａを挟持する。また、遺影３９ｂは複数枚重ねた支持板４１のいずれか２枚のものによって挟持する。そのままの状態で複数枚の支持板４１、透明板３７、遺影３９ａ及び遺影３９ｂを溝７ａ、１５ａに上方から差し込んで保持させる。この状態において、透明板３７の背面に近接する空間、すなわち透明板３７と最も表側に位置する支持板４１の間、複数枚重ねた支持板４１のいずれか２枚のものの間が遺影配置部となる。
【００２３】
また、複数枚重ねた支持板４１の最も表側に位置するものの表面と、透明板３７によってシート状の位牌４７を挟持して、そのままの状態で複数枚の支持板４１、透明板３７及び位牌４７を溝９ａ、１７ａに上方から差し込んで保持させる。この状態において、透明板３７の背面に近接する空間、すなわち透明板３７と支持板４１の間が位牌配置部となる。
次いで、蓋２９を天板１１に載せ、位置決め凸部２９ａを位置決め凹部１１ｂに嵌める。これにより、蓋２９が横ずれするのを防止することができる。
このように、仏壇１は前面の開口部２５、すなわち収容室１９、２１、２３の前面の開口部は透明板３７、４３によって閉鎖され、透明板３７、４３は着脱可能であり、遺影配置部、本尊配置部及び位牌配置部は透明板３７または透明板４３の背面に近接して設けられている。
【００２４】
仏壇１は上述のように小型であるため、転居等によって比較的小さい住まいとなった場合でも置く場所に困ることがない。しかも、遺影３９ａ、３９ｂ、本尊４５、位牌４７及び遺骨等を入れた容器４９をまとめて収容することができる。従って、仏具としての機能を十分に発揮することができる。
また、小型であるため、図６に示すように大型の仏壇５１内にそのまま設置して用いることも可能である。
【００２５】
以上、本考案の実施の形態について詳述してきたが、具体的構成は、この実施の形態に限られるものではなく、本考案の要旨を逸脱しない範囲における設計の変更などがあっても考案に含まれる。
例えば、仏壇のサイズは上記実施の形態で示したものに限定されず、本体の幅寸法が３０ｃｍ以下、高さ寸法が２０ｃｍ以下、奥行き寸法１５ｃｍ以下の範囲で適宜変更できる。
また、容器は収容室の本尊の後方となる空間に収容するだけでなく、位牌、遺影の後方となる空間に収容してもよい。
【産業上の利用可能性】
【００２６】
本考案は仏壇製造業において利用可能性を有する。
【符号の説明】
【００２７】
１…仏壇                    ３…本体                        ５…底板
７…左側板                  ７ａ…溝                        ９ａ…溝
９…右側板                １０…背板                      １１…天板
１１ａ…天板の開口          １１ｂ…天板の位置決め凹部      １３…空間部
１５…仕切り板              １５ａ…溝                      １５ｂ…溝
１７…仕切り板              １７ａ…溝                      １９…収容室
２１…収容室                ２３…収容室                    ２５…前面の開口部
２９…蓋                    ２９ａ…位置決め凸部            ３３…飾り板
３５…支持部材              ３７…透明板                    ３９ａ、３９ｂ…遺影
４１…支持板                ４３…透明板                    ４５…本尊
４７…位牌                  ４８…支持板                    ４９…容器
４９ａ…容器の本体          ４９ｂ…容器の蓋                ５１…大型の仏壇
【図１】
0003208294.tif 000003
【図２】
0003208294.tif 000004
【図３】
0003208294.tif 000005
【図４】
0003208294.tif 000006
【図５】
0003208294.tif 000007
【図６】
0003208294.tif 000008
【手続補正書】
【提出日】平成28年10月27日(2016.10.27)
【手続補正１】
【補正対象書類名】実用新案登録請求の範囲
【補正対象項目名】請求項６
【補正方法】変更
【補正の内容】
【請求項６】
請求項１から５のいずれかに記載した仏壇において、本体の天板には開口部が設けられ、前記天板の開口部は容器収容室に連通しており、且つ前記天板の開口部を閉鎖する蓋体が着脱自在に備えられていることを特徴とする仏壇。
【手続補正２】
【補正対象書類名】明細書
【補正対象項目名】００１０
【補正方法】変更
【補正の内容】
【００１０】
請求項６の考案は、請求項１から５のいずれかに記載した仏壇において、本体の天板には開口部が設けられ、前記天板の開口部は容器収容室に連通しており、且つ前記天板の開口部を閉鎖する蓋体が着脱自在に備えられていることを特徴とする仏壇である。